(57)【要約】【課題】本発明は光学フィルムおよび電子ペンシステムを提供する。【解決手段】本発明の電子ペンシステムは、周囲の光を用いて情報を表示する反射型ディスプレイ、前記反射型ディスプレイ上に配置され、前記反射型ディスプレイから反射される光を用いて位置情報を提供するための仮想の格子線と複数のマークとを含む情報パターンが形成されている光学フィルム、および前記情報パターンを認知して前記反射型ディスプレイ上にグラフィック情報を表示するための信号を転送する電子ペンを含む。
2015525403.tif 000002
【特許請求の範囲】
【請求項１】
反射型ディスプレイ上に配置され、前記反射型ディスプレイから反射される光を用いて位置情報を提供するための情報パターンが形成されている光学フィルムであって、
前記情報パターンは仮想の格子線と複数のマークとを含む光学フィルム。
【請求項２】
前記情報パターンは一定間隔に形成された仮想の格子線と前記仮想の格子線の交点を中心にした１つ以上のマークとを含み、前記仮想の格子線の交点を中心に形成される前記マークの位置に応じて決定されるマーク値によって前記位置情報を提供する、請求項１に記載の光学フィルム。
【請求項３】
前記マークは赤外線吸収インクを用いて形成される、請求項１に記載の光学フィルム。
【請求項４】
前記マークは、フタロシアニン系化合物、ナフタロシアニン系化合物、アミニウム系化合物を材料にする、請求項３に記載の光学フィルム。
【請求項５】
周囲の光を用いて情報を表示する反射型ディスプレイ、
前記反射型ディスプレイ上に配置され、前記反射型ディスプレイから反射される光を用いて位置情報を提供するための仮想の格子線と複数のマークとを含む情報パターンが形成されている光学フィルム、および
前記情報パターンを認知して前記反射型ディスプレイ上にグラフィック情報を表示するための信号を転送する電子ペン
を含む電子ペンシステム。
【請求項６】
前記反射型ディスプレイは、電気泳動方式、ＭＥＭＳ方式およびエレクトロウェッティング方式のいずれかの方式で駆動される、請求項５に記載の電子ペンシステム。
【請求項７】
前記光学フィルムのマークは赤外線を吸収するインクで形成される、請求項５に記載の電子ペンシステム。
【請求項８】
前記反射型ディスプレイは、複数の段階に区分されるグレースケールにおいて中間段階以上の明度を有する、請求項５に記載の電子ペンシステム。
【請求項９】
前記光学フィルムのマークの明度と前記反射型ディスプレイに表示されるグラフィック情報の明度がグレースケールに応じて対比形成される、請求項８に記載の電子ペンシステム。
【請求項１０】
前記電子ペンは、前記情報パターンを認知して前記反射型ディスプレイ上にグラフィック情報を表示したり削除したりするための信号を転送する、請求項５に記載の電子ペンシステム。
【請求項１１】
前記電子ペンの一側に設けられ、前記グラフィック情報を表示するための情報パターンを認知する第１赤外線センサ、および
前記電子ペンの他側に設けられ、前記グラフィック情報を削除するための情報パターンを認知する第２赤外線センサを含む、請求項１０に記載の電子ペンシステム。
【発明の詳細な説明】
【技術分野】
【０００１】
本発明は、光学フィルムおよび電子ペンシステムに関し、より詳しくは、反射型ディスプレイに適用される光学フィルムおよびこれを用いた電子ペンシステムに関する。
【背景技術】
【０００２】
電子ペンシステムはアナログとデジタルが結合された新しい概念のペンであり、一般ペンのように紙に字を書けば、ペンに内蔵されたメモリに筆記した内容が格納され、これを再びイメージファイルの形態でコンピュータに転送して管理できるように作られたペンである。一般ペンで書いた文書もスキャナーでスキャンをしてイメージファイルの形態で格納することができるが、電子ペンで書いた文書はスキャン過程が必要なく、別途のプログラムにより文書を容易に管理できるのが長所である。初期に開発された電子ペンはコンピュータと連結しなければ使用することができなかった。すなわち、電子ペンを使おうとすれば、常にコンピュータの電源をつけておかなければならず、またコンピュータの近くで使わなければならない不便さがあった。さらにコンピュータに格納する場合、イメージファイルの解像度が低くて内容を正確に把握し難いという短所があった。
【０００３】
現在は電子ペンに内蔵されたメモリに筆記した内容が格納されることにより、コンピュータと連結しさえすればいつでもデジタルデータに変換できる高機能の電子ペンも市場に発表されている。さらには、電子ペンそのものに液晶ディスプレイが内蔵されているために筆記する内容を直接画面で確認できる製品をはじめとして、ケーブルに連結することなく無線でデータを転送できるデジタルペンも開発されており、ディスプレイ上の電子ペンの位置情報を検知できるタッチスクリーン方式や外部に検知センサを取り付けて電子ペンの移動軌跡を検知できる技術などが活用されている。
【０００４】
しかし、タッチスクリーン方式や、外部の検知センサを用いる方式は、ディスプレイの大きさが大きくなるほど、ディスプレイの単価が高くなり、電力消費が急増し、電子ペン軌跡の認識の正確度が落ちる。そのため、ディスプレイ表面に表面の位置情報を含む情報パターンを人間の視覚で判断し難いほど微細に形成し、光学センサを有する電子ペンを用いて情報パターンを検知してディスプレイ上での位置を決定できるようにする技術が常用化されている。
【０００５】
電子ペンに取り付けられた赤外線センサを用いて電子ペンのタッチ位置を検知し、検知された位置にグラフィック情報を表示する技術は韓国公開特許第１０−２０１０−０１３４３３１号の他にも多数公開されている。しかし、前記公開特許は透過型ディスプレイ上の位置情報を検知してグラフィック情報を表示するためのものであり、別途の赤外線光源が備えられなければならない。また、電子ペンが光学フィルム上のマークを認識するためには、光学フィルムが可視光線を反射できる材質で製作されなければならないので、これをディスプレイに付着する場合に全体的な画像の鮮明度と視認度が落ちるという問題がある。
【発明の概要】
【発明が解決しようとする課題】
【０００６】
本発明が解決しようとする技術的課題は、マークから算出した位置情報に応じて反射型ディスプレイ上にグラフィック情報を表示または削除することができ、外部光源を用いる反射型ディスプレイを利用することによって電力消耗を減らすことができ、様々なスマートラーニング（Ｓｍａｒｔ  Ｌｅａｒｎｉｎｇ）分野に応用可能な光学フィルムおよびこれを用いた電子ペンシステムを提供することにある。
【課題を解決するための手段】
【０００７】
本発明の一態様によれば、反射型ディスプレイ上に配置され、前記反射型ディスプレイから反射される光を用いて位置情報を提供するための情報パターンが形成されている光学フィルムであって、前記情報パターンは仮想の格子線と複数のマークとを含む光学フィルムを提供する。
【０００８】
前記情報パターンは一定間隔に形成された仮想の格子線と前記仮想の格子線の交点を中心にした１つ以上のマークとを含み、前記仮想の格子線の交点を中心に形成される前記マークの位置に応じて決定されるマーク値によって前記位置情報を提供しても良い。
【０００９】
前記マークは赤外線吸収インクを用いて形成されても良い。
前記マークは、フタロシアニン系化合物、ナフタロシアニン系化合物、アミニウム系化合物を材料にしても良い。
【００１０】
本発明の他の様態によれば、周囲の光を用いて情報を表示する反射型ディスプレイ、前記反射型ディスプレイ上に配置され、前記反射型ディスプレイから反射される光を用いて位置情報を提供するための仮想の格子線と複数のマークとを含む情報パターンが形成されている光学フィルム、および前記情報パターンを認知して前記反射型ディスプレイ上にグラフィック情報を表示するための信号を転送する電子ペンを含む電子ペンシステムを提供する。
【００１１】
前記反射型ディスプレイは、電気泳動方式、ＭＥＭＳ方式およびエレクトロウェッティング方式のいずれかの方式で駆動されても良い。
前記光学フィルムのマークは赤外線を吸収するインクで形成されても良い。
前記光学フィルムのマークの明度は特定段階以下の明度を有しても良い。
【００１２】
前記反射型ディスプレイは、複数の段階に区分されるグレースケールにおいて、光学フィルムのマークと区分識別が可能となるように十分な明度を有するように形成されても良い。
前記電子ペンは、前記情報パターンを認知して前記反射型ディスプレイ上にグラフィック情報を表示したり削除したりするための信号を転送しても良い。
【００１３】
前記電子ペンの一側に設けられ、前記グラフィック情報を表示するための情報パターンを認知する第１赤外線センサ、および前記電子ペンの他側に設けられ、前記グラフィック情報を削除するための情報パターンを認知する第２赤外線センサを含むか、表示と削除機能を区分するためのボタンを追加して構成されても良い。
【発明の効果】
【００１４】
本発明の光学フィルムおよびこれを用いた電子ペンシステムは、マークから算出した位置情報に応じて反射型ディスプレイ上にグラフィック情報を表示または削除することができ、外部光源を用いる反射型ディスプレイを利用することによって電力消耗を減らすことができ、様々なスマートラーニング（Ｓｍａｒｔ  Ｌｅａｒｎｉｎｇ）分野に応用することができる。
【図面の簡単な説明】
【００１５】
【図１】本発明の一実施形態による電子ペンシステムの斜視図である。
【図２】本発明の一実施形態による反射型ディスプレイの動作に対する概念図である。
【図３】本発明の一実施形態による反射型ディスプレイの模式図である。
【図４】本発明の一実施形態による情報パターンの説明図である。
【図５】本発明の一実施形態による情報パターンの概略図である。
【図６】本発明の一実施形態による電子ペンシステムの構成図である。
【図７】本発明の他の実施形態による電子ペンシステムの構成図である。
【図８】本発明の一実施形態による電子ペンシステムの画面構成図の一例である。
【図９】本発明の一実施形態による電子ペンシステムの画面構成図の一例である。
【図１０】本発明の一実施形態による電子ペンシステムの画面構成図の他例である。
【図１１】本発明の一実施形態による電子ペンシステムの画面構成図のまた他の例である。
【発明を実施するための形態】
【００１６】
本発明は、様々な変更を加えることができ、色々な実施形態を有し得るが、特定の実施形態を図面に例示して説明することにする。但し、これは本発明を特定の実施形態に限定しようとするものではなく、本発明の思想および技術範囲に含まれる全ての変更、均等物乃至代替物を含むものとして理解しなければならない。
【００１７】
第２、第１などのように序数を含む用語は様々な構成要素を説明するのに用いることができるが、前記構成要素は前記用語によって限定されるものではない。前記用語は１つの構成要素を他の構成要素から区別する目的にのみ用いられる。例えば、本発明の権利範囲を逸脱せずに第２構成要素は第１構成要素と命名されても良く、同様に第１構成要素も第２構成要素と命名されても良い。および／またはという用語は複数の関連の記載された項目の組み合わせまたは複数の関連の記載された項目のうちのいずれか１つの項目を含む。
【００１８】
ある構成要素が他の構成要素に「連結されて」いるとか「接続されて」いると言及された時には、他の構成要素に直接的に連結されているかまたは接続されていても良いが、その間に他の構成要素が存在しても良いものとして理解しなければならない。反面、ある構成要素が他の構成要素に「直接連結されて」いるとか「直接接続されて」いると言及された時には、その間に他の構成要素が存在しないものとして理解しなければならない。
【００１９】
本出願に用いられた用語は単に特定の実施形態を説明するために用いられたものであって、本発明を限定しようとするものではない。単数の表現は文脈上明らかに違うように意味しない限り、複数の表現を含む。本出願において、「含む」または「有する」などの用語は明細書上に記載された特徴、数字、ステップ、動作、構成要素、部品またはこれらを組み合わせたものが存在するのを指定しようとするものであって、１つまたはそれ以上の他の特徴や数字、ステップ、動作、構成要素、部品またはこれらを組み合わせたものの存在または付加可能性を予め排除するものではないことを理解しなければならない。
【００２０】
異なるように定義されない限り、技術的または科学的な用語を含めて、ここで用いられる全ての用語は、本発明が属する技術分野で通常の知識を有した者にとって一般的に理解されるものと同一な意味を有している。一般的に用いられる辞典に定義されているような用語は関連技術の文脈上有する意味と一致する意味を持つものとして解釈されるべきであり、本出願で明らかに定義しない限り、理想的にまたは過度に形式的な意味として解釈されないものである。
【００２１】
以下、添付図面を参照して実施形態を詳細に説明するが、図面符号に関係なく同一または対応する構成要素は同一の参照番号を付し、これに関する重複説明は省略することにする。
【００２２】
図１は、本発明の一実施形態による電子ペンシステムの斜視図である。
図１を参照すれば、本発明の一実施形態による電子ペンシステムは、周囲の光を用いて情報を表示する反射型ディスプレイ１０、前記反射型ディスプレイ１０上に配置され、前記反射型ディスプレイ１０から反射される光を用いて位置情報を提供するための仮想の格子線２２と複数のマーク２１とを含む情報パターンが形成されている光学フィルム２０、および前記反射型ディスプレイ１０から反射される光から前記情報パターンを認知して前記反射型ディスプレイ１０上にグラフィック情報を表示するための電子ペン３０を含んで構成されることができる。
【００２３】
先ず、反射型ディスプレイ１０は別途の光源を用いることなく外部光源を用いて情報を表示することができる。ディスプレイは光源の活用方式に応じて区分することができる。透過型ディスプレイはバックライトから出る光が全面に透過して情報が外部に表示される方式である一方、反射型ディスプレイ１０は外部光源がディスプレイ面から全面方向に反射されるのでバックライトユニットなしで情報が外部に表示される。反射型ディスプレイ１０は、電気泳動方式、ＭＥＭＳ（Ｍｉｃｒｏ−Ｅｌｅｃｔｒｏ−Ｍｅｃｈａｎｉｃａｌ  Ｓｙｓｔｅｍ）およびエレクトロウェッティング（Ｅｌｅｃｔｒｏｗｅｔｔｉｎｇ）方式のいずれかの方式で駆動される。電気泳動方式は球状粒子内の白黒物質が電気を加えることによって動いて白黒画像を表現することができる。エレクトロウェッティング方式は各画素の赤色、青色、緑色の染料オイルが広がるか集まる原理を利用して光を反射して色を表現することができる。ＭＥＭＳ方式は陽光が反射膜１１によって反射されて多彩な色を実現する原理をＭＥＭＳ方式に導入したものである。
【００２４】
図２は、本発明の一実施形態による反射型ディスプレイの動作に対する概念図である。反射型ディスプレイの駆動方式は前述したように大きく３つの方式に区分されるが、共通した動作原理は電圧の印加時と未印加時に黒（ｂｌａｃｋ）と百（ｗｈｉｔｅ）で表現される各々のピクセル２０の組み合わせを利用するということである。図２を参照すれば、ＶＰを印加電圧とすると、印加電圧以上の電圧を加えれば、負に帯電されたインク微粒子が表面に移動してピクセル２０は黒色で表示され、印加電圧以下の電圧を加えれば、インク微粒子が下方に移動して白色で表示され、このような方式によって文字やイメージを表示するようになる。また、ピクセル２０に加えられる電圧の大きさに応じて各々のピクセル２０は黒色と白色との間に存在する複数の無彩色で表現されることができ、これをグレースケール（Ｇｒｅｙ  Ｓｃａｌｅ）といい、黒色と白色との間に存在する無彩色の個数に応じて８段階グレースケール、１０段階グレースケール、１６段階グレースケール・・・ｎ段階グレースケールなどに区分される。
【００２５】
図３は、本発明の一実施形態による反射型ディスプレイの模式図である。図３を参照すれば、一列に配列されるピクセル２０に加える電圧を各々異なるようにすることで、各々のピクセル２０は複数のグレースケールで表示されることができる。各々のピクセル２０は外部光源を反射したり吸収したりする役割を果たし、グレースケールのうち白色に近いピクセル２０は外部光源を反射する役割をし、黒色に近いピクセル２０は外部光源を吸収する役割をすることによって、ディスプレイ上に文字やイメージを表示できるようになる。
【００２６】
図４は本発明の一実施形態による情報パターンの説明図であり、図５は本発明の一実施形態による情報パターンの概略図である。光学フィルム２０は、反射型ディスプレイ１０上に配置され、反射型ディスプレイ１０から反射される光を用いて位置情報を提供するための情報パターンが形成されている。
【００２７】
図４を参照すれば、情報パターンは仮想の格子線２２と複数のマーク２１とを含み、各々のマーク２１は仮想の格子線２２の交点を中心に一定間隔をおいて形成されることができる。各々のマーク２１は、仮想の格子線２２の交点を中心に形成される位置に応じて決定されるマーク値によって位置情報を提供することができる。マーク２１は仮想の格子線２２の交点を中心に一定間隔をおいて形成されることができ、各々のマーク値を有し、マーク値は少なくとも２個以上の互いに異なる数の組み合わせで構成されることができる。マーク２１の形態は円形、楕円形、多角形、直線など様々な形態を有し、１つの光学フィルムには一種類のマークが用いられることが好ましい。
【００２８】
例えば、図５を参照すれば、マーク２１は仮想の格子線２２の交点との関係に応じて４つの位置に存在することができ、マーク２１がａのように交点の右側に位置する場合にマーク値を「１」に、ｂのように上段に位置する場合にマーク値を「２」に、ｃのように左側に位置する場合にマーク値を「３」に、ｄのように下段に位置する場合にマーク値を「４」に示すことによって、仮想格子線２２の交点を中心にしたマーク２１の位置に応じて位置情報を提供することができる。
【００２９】
また、マーク２１は仮想の格子線２２上ではない対角線方向にも形成されることができ、１つの仮想格子線２２の交点に複数のマーク２１が形成されて位置情報を提供することができる。この場合、各々のマーク値はｘ座標とｙ座標に分離する方式で任意の座標で表現されることができ、位置情報は座標で表現されるマーク値から提供されることができる。
【００３０】
仮想の格子線２２は一定間隔をおいて横および縦に形成されることができる。格子線２２の間の距離は２５０〜３００μｍで形成されることができ、マーク２１は仮想の格子線２２の交点を中心に１／４または１／８の距離をおいた地点に形成されることができる。または、マーク２１は仮想の格子線２２の交点を中心に２個以上のマーク２１が連関して形成されることができる。
【００３１】
電子ペン３０は、例えば、赤外線検知センサにより、６×６の大きさの格子線２２上で縦横に６個ずつ３６個のマーク２１を認識した場合、各々のマーク値に応じた位置情報を算出し、それを用いて光学フィルム２０上での絶対位置を把握することができる。
【００３２】
光学フィルム２０は透明な材質であり、可視光線が透過して反射型ディスプレイ１０に入射されるようにする。光学フィルム２０は、ポリエチレンテレフタレート（ＰＥＴ）、ポリエチレンナフタレート（ＰＥＮ）、配向ポリプロピレン、ポリカーボネート、トリアセテートなどから製造されたプラスチックフィルム、ガラスなどを含むことができる。光学フィルム２０は反射型ディスプレイ１０の上段に置かれて用いられることができ、または下段部に接着層（図示せず）をさらに含んで反射型ディスプレイ１０に脱付着して用いられることができる。
【００３３】
マーク２１は可視光線の透過率に優れており、赤外線だけを選別的に吸収できるインク物質からなることができる。赤外線領域は約７００〜１０，０００ｎｍとして近赤外線、中赤外線、遠赤外線に区分され、マーク２１は約７５０〜１３００ｎｍの近赤外線領域を吸収することができる。
【００３４】
マーク２１は、例えば、赤外線吸収特性のあるフタロシアニン系化合物、ナフタロシアニン系化合物、アミニウム系化合物などに紫外線硬化性のある樹脂と硬化剤を混合して樹脂化合物を生成し、それを上記で列挙した透明材質の光学フィルム２０にコーティングすることによって形成される。
【００３５】
マーク２１の明度は反射型ディスプレイ１０のグレースケールに対比形成されることができる。反射型ディスプレイ１０に表示されるイメージ、文字などの情報がマーク２１の明度と比較してより暗いかあるいは類似するか明るくてもその差が小さい場合、電子ペン３０は光学フィルム２０に形成されたマーク２１を認識できない場合が発生し得る。したがって、マーク２１の明度を反射型ディスプレイ１０上に表示されるイメージ、文字などの情報と対比して、グレースケール対比特定段階差以上に暗く維持する場合、好ましくはグレースケール対比４〜５段階以上暗い場合、反射型ディスプレイ１０にイメージ、文字などの情報が暗く表示されても電子ペン３０がマーク２１を認識できるようになる。但し、マーク２１の明度を暗く形成する場合に光学フィルム２０の全体的な明度が下がり、反射型ディスプレイ１０に付着する場合に全体的な視認性または鮮明度が下がるため、電子ペン３０がマーク２１を認識できる限度内でマーク２１の明度とディスプレイ上の文字やイメージの明度を決定することが好ましい。
【００３６】
図６は、本発明の一実施形態による電子ペンシステムの構成図である。
図６を参照すれば、電子ペン３０は一般的なペンの形態であっても良く、ペン先が形成されている部分には赤外線検知センサ３１が備えられることができる。赤外線検知センサ３１は光学フィルム２０に形成されたマーク２１を認識することができる。電子ペン３０は赤外線検知センサ３１により認識したマーク２１に応じてマーク値を求め、光学フィルム２０内での位置を算出することができる。電子ペン３０は、例えば、赤外線検知センサ３１により、６×６の大きさの格子線２２上で縦横に６個ずつ３６個のマーク２１を認識した場合、各々のマーク値に応じた位置情報を算出して光学フィルム２０上での絶対位置を把握することができる。
【００３７】
電子ペン３０は算出した位置情報を有線または無線の通信方式で反射型ディスプレイ１０に転送し、反射型ディスプレイ１０は電子ペン３０から転送した位置情報の軌跡に沿ってグラフィック情報を外部に表示することができる。電子ペン３０と反射型ディスプレイ１０は有線で連結され、直列通信方式を用いてデータ転送をするか、またはブルートゥース、赤外線通信ＲＦ通信およびジグビー通信のいずれかの近距離無線通信方式を用いてデータ通信を行うことができる。
【００３８】
電子ペン３０にはＭＣＵ（Ｍｉｃｒｏ  Ｃｏｎｔｒｏｌｌ  Ｕｎｉｔ）が内蔵されてマーク値に応じた位置情報を解釈することができ、または電子ペン３０がマーク値を認識して反射型ディスプレイ１０に転送すれば、反射型ディスプレイ１０においてマーク値に応じて位置情報を算出し、それに応じたグラフィック情報を外部に表示するように実現することができる。電子ペン３０はマーク値に対するデータを外部のコンピュータまたはスマートフォンなどのプロセッサに転送することができ、外部のプロセッサはマーク値に応じた位置情報を解釈して電子ペン３０または反射型ディスプレイ１０に転送することができる。
【００３９】
電子ペン３０には赤外線および可視光線を放出できる光源（図示せず）が含まれることができる。電子ペン３０は自然光、蛍光灯などに含まれる赤外線を用いて光学フィルム２０に形成されたマーク２１を認識することができるが、マーク２１を認知するための十分な量の赤外線が提供されない暗い空間においては電子ペン３０そのものから放出される光を用いて反射型ディスプレイ１０は情報を表示し、電子ペン３０は光学フィルム２０に形成されたマーク２１を認識することができる。
【００４０】
電子ペン３０には、電子ペン３０を用いて反射型ティスプルレに表示されるグラフィック情報を削除できる機能が含まれることができる。電子ペン３０のＭＣＵは、外部の入力に応じて赤外線検知センサが認識したマーク２１に対するマーク値または位置情報を反射型ディスプレイ１０に転送しつつ、記録／削除フラグを同時に転送することができる。これは、デジタル信号で表現されるマーク値または位置情報に０／１のような１−ｂｉｔ信号を追加して実現されることができ、反射型ディスプレイ１０のＭＣＵは、転送を受けるビット信号が０である場合、該当する位置情報にグラフィック情報を表示するか、または転送を受けるビット信号が１である場合、該当する位置情報に表示されたグラフィック情報を削除することができる。電子ペン３０はさらに備えられるスイッチ（図示せず）のオン／オフ状態に応じてグラフィック情報を表示するかまたはグラフィック情報を削除する機能を実現することができ、前記スイッチは電子ペン３０の側面部またはペン先が備えられる反対末端部に備えられることができる。または、電子ペン３０にグラフィック情報を表示するための赤外線センサとグラフィック情報を削除するための赤外線センサをさらに備えて削除機能を実現することができ、図７を参照して説明することにする。
【００４１】
図７は、本発明の他の実施形態による電子ペンシステムの構成図である。本発明の他の実施形態による電子ペンシステムは周囲の光を用いて情報を表示する反射型ディスプレイ１０、反射型ディスプレイ１０上に配置され、反射型ディスプレイ１０から反射される光を用いて位置情報を提供するための仮想の格子線２２と複数のマーク２１とを含む情報パターンが形成されている光学フィルム２０、および情報パターンを認知して反射型ディスプレイ１０上にグラフィック情報を表示するための信号を転送する電子ペン３０を含み、電子ペン３０の一側にはグラフィック情報を表示するための情報パターンを認知する第１赤外線センサ３１が備えられ、電子ペンの他側にはグラフィック情報を削除するための情報パターンを認知する第２赤外線センサ３２が備えられる。
【００４２】
図７を参照すれば、電子ペン３０の一側には第１赤外線センサ３１が、他側には第２赤外線センサ３２が各々備えられることができ、好ましくは、第１赤外線センサはペン先が形成された部分の末端に備えられ、第２赤外線センサ３２はペン先の反対末端部に備えられることができる。第１赤外線センサ３１により検知されるマーク値または位置情報はビット信号０を共に転送することによって該当する位置情報にグラフィック情報を表示することができ、第２赤外線センサ３２により検知されるマーク値または位置情報はビット信号１を共に転送することによって該当する位置情報に表示されたグラフィック情報を削除するように実現することができる。
【００４３】
電子ペン３０の内部にはその他の通信手段のための装置、マイクおよびスピーカーなどの様々な機能を行う装置が内蔵されることができ、電子ペン３０に内蔵されたＭＣＵによって動作が制御される。また、電子ペン３０のペン先部分にはインクが含まれているので一般的なペンの機能を行うことができ、外部光源を反射して情報を表示するノート、ボード、電子黒板上に情報パターンが形成された光学フィルムを付着して用いることができる。
【００４４】
図８〜図９は、本発明の一実施形態による電子ペンシステムの画面構成図の一例である。
図８を参照すれば、本発明の一実施形態による電子ペンシステムは、反射型ディスプレイ１０を含む電子本（ｅ−ｂｏｏｋ）システムと連動して画面に表示される情報にメモやアンダーラインをひく方式で活用される。これは、電子本だけでなく、反射型ディスプレイ１０で実現されるデジタル教科書、電子黒板、スマートフォンのような端末装置にも活用されることができる。また、上記で列挙した反射型ディスプレイ１０で実現される装置にデータベースおよび通信装置を付加して電子ペン３０で表示された情報だけを別途に抽出して格納することができ、通信装置を用いて他端末装置などに転送するように実現することができる。
【００４５】
図９を参照すれば、本発明の一実施形態による電子ペンシステムは、反射型ディスプレイ１０を含む電子本システムと連動して電子ペン３０の接触地点に応じてタッチスクリーン方式で命令が入力されるように実現されることができる。電子ペン３０は反射型ディスプレイ１０上に付着されるマーク２１を認識するため、マーク値に応じて算出される位置情報を電気的信号に転換すれば、反射型ディスプレイ１０に内蔵されるＭＣＵは電子ペン３０が接触した地点に位置した命令を遂行するように制御することになる。このような動作原理により、電子本の場合、ページをめくったりブックマークを表示したりするなどの動作を行うことができる。また、その他の反射型ディスプレイ１０で実現される端末装置の場合は、電子ペン３０を用いて音楽や動画を再生する動作などを行うことができる。
【００４６】
図１０は、本発明の一実施形態による電子ペンシステムの画面構成図の他例である。図１０を参照すれば、電子ペンシステムの反射型ディスプレイ１０はノート、ダイアリーなどの機能を行うことができる。図１０においては空の画面上に電子ペン３０を用いて記録された文字だけが表示されているが、一般的なノートのように筆記機能を行うことができるように横線または縦線が提供されていても良い。
【００４７】
図１１は、本発明の一実施形態による電子ペンシステムの画面構成図のまた他の例である。図１１を参照すれば、本発明のまた他の実施形態による電子ペンシステムは、反射型ディスプレイ１０を含む電子本システムと連動して画面に表示される情報にメモやアンダーラインをひく方式で活用されることができる。これは、電子本だけでなく、反射型ディスプレイ１０で実現されるデジタル教科書、電子黒板、スマートフォンのような端末装置にも活用されることができる。また、上記で列挙した反射型ディスプレイ１０で実現される装置にデータベースおよび通信装置を付加して電子ペン３０で表示された情報だけを別途に抽出して格納することができ、通信装置を用いて他端末装置などに転送するように実現することができる。
【００４８】
本実施形態に用いられる「〜部」という用語はソフトウェアまたはＦＰＧＡ（ｆｉｅｌｄ−ｐｒｏｇｒａｍｍａｂｌｅ  ｇａｔｅ  ａｒｒａｙ）またはＡＳＩＣのようなハードウェア構成要素を意味し、「〜部」はある役割を果たす。但し、「〜部」はソフトウェアまたはハードウェアに限定される意味ではない。「〜部」はアドレッシングできる格納媒体にあるように構成されても良く、１つまたはそれ以上のプロセッサを再生させるように構成されても良い。したがって、一例として「〜部」は、ソフトウェア構成要素、オブジェクト指向ソフトウェア構成要素、クラス構成要素およびタスク構成要素のような構成要素と、プロセス、関数、属性、プロシージャ、サブルーチン、プログラムコードのセグメント、ドライバ、ファームウェア、マイクロコード、回路、データ、データベース、データ構造、テーブル、アレイ、および変数を含む。構成要素と「〜部」の中から提供される機能は、さらに小さい数の構成要素および「〜部」で結合されるか、追加の構成要素と「〜部」にさらに分離されても良い。それのみならず、構成要素および「〜部」はデバイスまたはセキュアマルチメディアカード内の１つまたはそれ以上のＣＰＵを再生させるように実現されることもできる。
【００４９】
上記では本発明の好ましい実施形態を参照して説明したが、当該技術分野の熟練した当業者であれば、下記の特許請求の範囲に記載された本発明の思想および領域から逸脱しない範囲内で本発明を多様に修正および変更できることを容易に理解することができる。
【図１】
2015525403.tif 000003
【図２】
2015525403.tif 000004
【図３】
2015525403.tif 000005
【図４】
2015525403.tif 000006
【図５】
2015525403.tif 000007
【図６】
2015525403.tif 000008
【図７】
2015525403.tif 000009
【図８】
2015525403.tif 000010
【図９】
2015525403.tif 000011
【図１０】
2015525403.tif 000012
【図１１】
2015525403.tif 000013
【国際調査報告】
2015525403.tif 000014
2015525403.tif 000015
2015525403.tif 000016
2015525403.tif 000017